(57)【要約】【課題】容易に製造することができ、力を込めて被洗浄物を擦り洗いする用途にも適し、しかも速乾性を有する洗浄具を提供する。【解決手段】本実施の形態に係る洗浄具は、被洗浄物を擦り洗いするための洗浄具において、夫々が鎖編みされている複数本の経糸２，２，…と、鎖編みされた各経糸２より太い緯糸３とを有する経編地を用いてなり、前記複数本の経糸２，２，…は、緯方向に互いに適長離隔して並設されており、前記緯糸３は、隣り合う経糸２，２，…間に亘り、該隣り合う経糸２，２，…夫々の編目に挿入されていることによって、該隣り合う経糸２，２，…を連結しており、各経糸２の編目には、経方向に１目又は複数目置いて前記緯糸３が挿入されていることを特徴とする。【選択図】図４
2018082815.tif 000002
【特許請求の範囲】
【請求項１】
被洗浄物を擦り洗いするための洗浄具において、
夫々が鎖編みされている複数本の経糸と、
鎖編みされた各経糸より太い緯糸と
を有する経編地を用いてなり、
前記複数本の経糸は、緯方向に互いに適長離隔して並設されており、
前記緯糸は、隣り合う経糸間に亘り、該隣り合う経糸夫々の編目に挿入されていることによって、該隣り合う経糸を連結しており、
各経糸の編目には、経方向に１目又は複数目置いて前記緯糸が挿入されていることを特徴とする洗浄具。
【請求項２】
複数本の緯糸は、前記隣り合う経糸夫々において同一の編目に挿入されていることによって、互いに部分的に重なっていることを特徴とする請求項１に記載の洗浄具。
【請求項３】
２本の緯糸は、互いに逆向きに折り返していることを特徴とする請求項１又は２に記載の洗浄具。
【請求項４】
前記経方向に延びる帯状をなすことを特徴とする請求項１から３の何れか一項に記載の洗浄具。
【請求項５】
前記経方向の両端部に、持ち手が取り付けられていることを特徴とする請求項４に記載の洗浄具。
【請求項６】
前記経方向の両端部が折り返されていることを特徴とする請求項１から５の何れか一項に記載の洗浄具。
【発明の詳細な説明】
【技術分野】
【０００１】
本発明は、被洗浄物を擦り洗いするための洗浄具に関する。
【背景技術】
【０００２】
従来、被洗浄物を擦り洗いするために、スポンジ又はタワシ等の洗浄具が広く用いられている。しかしながら、これらの洗浄具には、使用後の乾きが遅いという衛生上の問題がある。
特許文献１には、速乾性の向上を図った洗浄具が提案されている。この洗浄具は、水分が浸透しない繊維を用いた、網状のシート（網シート）を用いてなる。網シートは風通しがよいので、特許文献１に記載の洗浄具は速乾性を有する。
【先行技術文献】
【特許文献】
【０００３】
【特許文献１】特開２０１４−１８６４３号公報
【発明の概要】
【発明が解決しようとする課題】
【０００４】
しかしながら、特許文献１に記載の洗浄具を製造するためには、複数枚の網シートを積層して、これらの周縁部同士を縫着する工程と、複数枚の網シートをフリル状に縫製する工程と、網シートの積層体にフリル状の網シートを縫着する工程とを個別に行なう必要がある。即ち、特許文献１に記載の洗浄具の製造工程は煩雑である。
【０００５】
ところで、網シートの網目を形成している糸が細いほど、網シートの風通しはよくなる。とはいえ、この糸が細いほど、網シートの強度は低下するので、このような洗浄具は、力を込めて被洗浄物を擦り洗いする用途には適さない。
【０００６】
本発明は斯かる事情に鑑みてなされたものであり、その主たる目的は、容易に製造することができ、力を込めて被洗浄物を擦り洗いする用途にも適し、しかも速乾性を有する洗浄具を提供することにある。
【課題を解決するための手段】
【０００７】
本実施の形態に係る洗浄具は、被洗浄物を擦り洗いするための洗浄具において、夫々が鎖編みされている複数本の経糸と、鎖編みされた各経糸より太い緯糸とを有する経編地を用いてなり、前記複数本の経糸は、緯方向に互いに適長離隔して並設されており、前記緯糸は、隣り合う経糸間に亘り、該隣り合う経糸夫々の編目に挿入されていることによって、該隣り合う経糸を連結しており、各経糸の編目には、経方向に１目又は複数目置いて前記緯糸が挿入されていることを特徴とする。
【０００８】
本実施の形態に係る洗浄具は、複数本の緯糸は、前記隣り合う経糸夫々において同一の編目に挿入されていることによって、互いに部分的に重なっていることを特徴とする。
【０００９】
本実施の形態に係る洗浄具は、２本の緯糸は、互いに逆向きに折り返していることを特徴とする。
【００１０】
本実施の形態に係る洗浄具は、前記経方向に延びる帯状をなすことを特徴とする。
【００１１】
本実施の形態に係る洗浄具は、前記経方向の両端部に、持ち手が取り付けられているこ
とを特徴とする。
【００１２】
本実施の形態に係る洗浄具は、前記経方向の両端部が折り返されていることを特徴とする。
【００１３】
本実施の形態にあっては、洗浄具が経編地を用いてなる。故に、洗浄具は、例えば経編機を用いて容易に製造することができる。
また、洗浄具は太い緯糸を有するので、強度が高い。従って、洗浄具は、力を込めて被洗浄物を擦り洗いする用途にも適する。
鎖編みされた経糸は細い。また、経糸同士は、緯方向に互いに適長離隔している。更に、各経糸の編目には、経方向に１目又は複数目置いて緯糸が挿入されている。この結果、洗浄具は、緯方向及び経方向夫々に間隔をあけたような目の粗いメッシュ構造を有する。故に、洗浄具は風通しがよく、速乾性を有する。
【００１４】
本実施の形態にあっては、互いに部分的に重なっている複数本の緯糸が、隣り合う経糸を連結する。これは、隣り合う経糸間に亘る１本の緯糸が、複数本分の太さを有しているようなものである。故に、洗浄具は、より力を込めて被洗浄物を擦り洗いする用途にも適する。
【００１５】
しかも、夫々適度に太い複数本の緯糸を互いに部分的に重ねることによって洗浄具の強度を向上させるので、過度に太い１本の緯糸を用いて洗浄具の強度を向上させる必要がない。従って、洗浄具は、過度に太い緯糸を扱えるような特殊な経編機を用いることなく、適度に太い緯糸を扱える経編機を用いて、容易に製造することができる。
【００１６】
本実施の形態にあっては、２本の緯糸が、互いに逆向きに折り返しているので、洗浄具の意匠性を向上させることができる。
【００１７】
本実施の形態にあっては、帯状の洗浄具を被洗浄物に巻き掛けることによって、被洗浄物を効率よく擦り洗いすることができる。
【００１８】
本実施の形態にあっては、使用者が持ち手を持って被洗浄物を容易に擦り洗いすることができる。
【００１９】
本実施の形態にあっては、洗浄具の経方向の両端部が、折り返すことによって始末されているので、洗浄具の美観を向上させることができる。
【発明の効果】
【００２０】
本実施の形態の洗浄具による場合、容易に製造することができ、力を込めて被洗浄物を擦り洗いする用途にも適し、しかも速乾性を有する。
【図面の簡単な説明】
【００２１】
【図１】実施の形態に係る洗浄具を略示する正面図である。
【図２】洗浄具を略示する拡大正面図である。
【図３】洗浄具を模式的に示す正面図である。
【図４】洗浄具を模式的に示す拡大正面図である。
【図５】洗浄具の使用形態を示す図である。
【発明を実施するための形態】
【００２２】
以下、本発明を、その実施の形態を示す図面に基づいて詳述する。
【００２３】
図１は、実施の形態に係る洗浄具を略示する正面図である。図２は、洗浄具を略示する拡大正面図である。
図中１は洗浄具であり、洗浄具１は、経編地を用いてなる。図２に示すように、洗浄具１は、10本の経糸２，２，…及び８本の緯糸３，３，…を有する。
図３は、洗浄具１を模式的に示す正面図である。図４は、洗浄具１を模式的に示す拡大正面図である。図３には６本の経糸２，２，…及び６本の緯糸３，３，…が示されている。図４には４本の経糸２，２，…及び後述する２本１組の緯糸３，３が示されている。
経糸２及び緯糸３夫々を構成する繊維は、水分が浸透しない繊維であることが望ましい。経糸２及び緯糸３夫々は、例えばポリエステルのような合成樹脂製である。
【００２４】
図３及び図４では、経糸２を細い実線で略示している。
各経糸２は、多数本の円形断面繊維又は異形断面繊維を撚り合わせてなる細糸である。経糸２の太さは、例えば150 デニールである。
経糸２，２，…は、夫々鎖編みされて、互いに平行に並設されている。鎖編みされた経糸２の長手方向が洗浄具１の経方向であり、経糸２，２，…の並設方向が洗浄具１の緯方向である。経糸２，２，…は、緯方向に互いに適長離隔している。
鎖編みされた経糸２の編目は経方向に複数個連なる。経糸２，２，…夫々の編目の経方向の位置は互いに同じである。図３では、経糸２の各編目を楕円環で略示している。
【００２５】
図３及び図４では、緯糸３を太い実線又は破線で略示している。
緯糸３は、多数本の異形断面繊維を撚り合わせてなる太糸である。緯糸３の太さは、例えば4000デニールである。緯糸３は、鎖編みされた経糸２よりも太い。ただし、図を見やすくするために、図に示す太さと実際の太さとは異なる。
緯糸３を構成する異形断面繊維の断面は、複数個の角を有する。
【００２６】
洗浄具１は、細糸を経糸２とし、太糸を緯糸３とすることができる経編機を用いて、経方向に編み立てられてなる。洗浄具１を編み立てる過程では、緯糸３が緯方向に置かれ、この緯糸３を、経糸２が緯糸３の周方向に囲繞するように、経糸２の編目が形成される。この結果、洗浄具１は、緯糸３が経糸２の編目に挿入されたような構成を有する。
編み立ての進行に伴って、各経糸２の編目が締まるので、緯糸３は、隣り合う経糸２，２，…夫々に拘束される。この結果、緯糸３は、隣り合う経糸２，２，…を連結する。１本の緯糸３は、蛇行状に折り返しながら４本の隣り合う経糸２，２，…を連結する。
【００２７】
洗浄具１は、２本１組の緯糸３，３を４組有する。
１組の緯糸３，３は、互いに逆向きに折り返している。１組の緯糸３，３は、隣り合う経糸２，２夫々において同一の編目に挿入されていることによって、互いに部分的に重なっている。１組の緯糸３，３が重なり合う方向は、本実施の形態では洗浄具１の厚み方向である。即ち、１組の緯糸３，３の一方は洗浄具１の表側に配され、他方は洗浄具１の裏側に配される。
【００２８】
図３及び図４に示すように、１組の緯糸３，３の内、一方の緯糸３（実線で図示）は、隣り合う４本の経糸２，２，…の内、最も左側の経糸２のｎ（ｎは自然数）番目の編目を右向きに通り、次に、この経糸２の右隣りの経糸２の｛ｎ＋１｝番目の編目を右向きに通り、次いで、この経糸２の右隣りの経糸２の｛ｎ＋１｝番目の編目を右向きに通り、更に、この経糸２の右隣りの経糸２（即ち最も右側の経糸２）の｛ｎ＋２｝番目の編目を右向きに通る。この後、この緯糸３は、左向きに折り返される。
【００２９】
次いで、この緯糸３は、隣り合う４本の経糸２，２，…の内、最も右側の経糸２の｛ｎ＋５｝番目の編目を左向きに通り、次に、この経糸２の左隣りの経糸２の｛ｎ＋６｝番目の編目を左向きに通り、次いで、この経糸２の左隣りの経糸２の｛ｎ＋６｝番目の編目を
左向きに通り、更に、この経糸２の左隣りの経糸２（即ち最も左側の経糸２）の｛ｎ＋７｝番目の編目を左向きに通る。この後、この緯糸３は、右向きに折り返される。
次いで、この緯糸３は、隣り合う４本の経糸２，２，…の内、最も左側の経糸２の｛ｎ＋10｝番目の編目を右向きに通る。
【００３０】
一方、１組の緯糸３，３の内、他方の緯糸３（太い破線で図示）は、隣り合う４本の経糸２，２，…の内、最も右側の経糸２のｎ番目の編目を左向きに通り、次に、この経糸２の左隣りの経糸２の｛ｎ＋１｝番目の編目を左向きに通り、次いで、この経糸２の左隣りの経糸２の｛ｎ＋１｝番目の編目を左向きに通り、更に、この経糸２の左隣りの経糸２（即ち最も左側の経糸２）の｛ｎ＋２｝番目の編目を左向きに通る。この後、この緯糸３は、右向きに折り返される。
【００３１】
次いで、この緯糸３は、隣り合う４本の経糸２，２，…の内、最も左側の経糸２の｛ｎ＋５｝番目の編目を右向きに通り、次に、この経糸２の右隣りの経糸２の｛ｎ＋６｝番目の編目を右向きに通り、次いで、この経糸２の右隣りの経糸２の｛ｎ＋６｝番目の編目を右向きに通り、更に、この経糸２の右隣りの経糸２（即ち最も右側の経糸２）の｛ｎ＋７｝番目の編目を右向きに通る。この後、この緯糸３は、左向きに折り返される。
次いで、この緯糸３は、隣り合う４本の経糸２，２，…の内、最も右側の経糸２の｛ｎ＋10｝番目の編目を左向きに通る。
【００３２】
以上のように、隣り合う４本の経糸２，２，…の内、緯方向中央部に位置する２本の隣り合う経糸２，２夫々において、各経糸２の編目には、経方向に４目置きに（５目毎に）緯糸３が挿入されている。１組の緯糸３，３の重なり合う部分は、この経糸２，２間に亘り、この経糸２，２夫々の同一の編目に挿入されている。
一方、隣り合う４本の経糸２，２，…の内、緯方向両端に位置する２本の経糸２，２夫々において、各経糸２の編目に、経方向に１目置いて緯糸３が挿入されていることと２目置いて緯糸３が挿入されていることとが交互に繰り返される。また、１組の緯糸３，３は、この経糸２，２夫々の互いに異なる編目に挿入されている。
【００３３】
緯方向両端に位置する２本の経糸２，２夫々において緯糸３，３が挿入されている編目は、緯方向中央部に位置する２本の隣り合う経糸２，２夫々において緯糸３，３が挿入されている編目よりも１目ずれている。故に、緯糸３の折り返しが自然なカーブを描くので、洗浄具１の細部の美観が向上される。
【００３４】
以下では、10本の経糸２，２，…を緯方向一側から他側に向けて第１〜第10の経糸２，２，…という。また、４組の緯糸３，３を、第１組〜第４組の緯糸３，３という。
第１組の緯糸３，３（図３における符号３１，３１）は、第１〜第４の経糸２，２，…を連結する。第２組の緯糸３，３（図３における符号３２，３２）は、第３〜第６の経糸２，２，…を連結する。第３組の緯糸３，３（図３における符号３３，３３）は、第５〜第８の経糸２，２，…を連結する。第４組の緯糸３，３は、第７〜第10の経糸２，２，…を連結する。互いに異なる組の緯糸３，３が、同じ経糸２の編目に挿入されている場合、緯糸３，３は、経糸２の互いに異なる編目に挿入されている。
【００３５】
以上のような洗浄具１の場合、鎖編みされた経糸２は細い。また、経糸２，２，…同士は、緯方向に互いに適長（例えば経糸２の編目の５目分。約５mm）離隔している。更に、各経糸２の編目には、経方向に１目又は複数目置いて緯糸３が挿入されている。この結果、洗浄具１は、緯方向及び経方向夫々に間隔をあけたような目の粗いメッシュ構造を有する。
また、２本１組の緯糸３，３が、互いに逆向きに折り返しているので、洗浄具１の意匠性を向上させることができる。
【００３６】
洗浄具１は帯状をなす。洗浄具１の長手方向は、洗浄具１の経方向（洗浄具１の編立方向）である。
洗浄具１の長手方向の両端部夫々は、洗浄具１の同一面の側に１回又は複数回折り返されている。洗浄具１の長手方向の両端部夫々は、縫製又は溶着等によって、折り返された状態に保持される。折り返しの長さ及び回数は、洗浄具１の経方向の両端部夫々のほつれを目隠しできる程度であればよい。
洗浄具１の経方向の両端部が、折り返すことによって始末されているので、洗浄具１の美観を向上させることができる。
【００３７】
洗浄具１の長手方向の両端部には、持ち手４，４が取り付けられている。図に示す持ち手４は環状の部材である。持ち手４は、水分が浸透しない素材からなることが望ましい。
一方の持ち手４は、洗浄具１の一端部に取り付けられている。持ち手４は、洗浄具１の折り返された部分を貫通する。この場合、持ち手４は、洗浄具１のメッシュに挿通される。
なお、洗浄具１の長手方向の一端部が、持ち手４の周方向の一部分に巻き掛けるようにして折り返され、適宜に縫製又は溶着等されることによって、持ち手４が洗浄具１に取り付けられてもよい。
【００３８】
同様に、他方の持ち手４は、洗浄具１の他端部に取り付けられている。
【００３９】
以上のような洗浄具１は、被洗浄物を擦り洗いする場合に使用される。洗浄具１は、管状又は杆状等の被洗浄物を擦り洗いする場合に使用されることが特に好適である。
図５は、洗浄具１の使用形態を示す図である。
図５に示す被洗浄物Ａは蛇口である。使用者は、洗浄具１を被洗浄物Ａに巻き掛ける。次いで、使用者は、洗浄具１を長手方向に往復移動させる。この結果、使用者は、被洗浄物Ａを効率よく擦り洗いすることができる。この場合、使用者は、持ち手４，４を持つ（例えば各持ち手４に指を通す）ことによって、洗浄具１を容易に使用することができる。
【００４０】
洗浄具１は、化学繊維を用いた経編地なので柔軟であり、鎖編みされた経糸２の伸縮によって経方向に伸縮する。故に、洗浄具１の形状が被洗浄物の形状に容易に追従する。従って、洗浄具１は、被洗浄物の細部を容易に洗浄することができる。
【００４１】
被洗浄物の洗浄時には、主に太い緯糸３，３，…が被洗浄物の洗浄に寄与する。洗浄具１は太い緯糸３，３，…を有するので、強度が高い。しかも、互いに部分的に重なっている２本の緯糸３，３が、隣り合う経糸２，２を連結する。これは、隣り合う経糸２，２間に亘る１本の緯糸３が、２本分の太さを有しているようなものである。故に、洗浄具１は、力を込めて被洗浄物を擦り洗いする用途に特に適している。
更に、緯糸３を構成している異形断面繊維の角によって、被洗浄物の汚れを効率よく掻き取ることができる。
また、洗浄具１の厚みは、一般的なスポンジ又はタワシ等に比べて薄い。故に、洗浄具１は、狭い空間に洗浄具１を通して被洗浄物を擦り洗いする場合にも好適である。
【００４２】
ところで、本実施の形態では、夫々適度に太い２本の緯糸３，３を互いに部分的に重ねることによって洗浄具１の強度を向上させるので、過度に太い１本の緯糸を用いて洗浄具１の強度を向上させる必要がない。従って、洗浄具１は、過度に太い緯糸を扱えるような特殊な経編機を用いることなく、適度に太い緯糸３，３，…を扱える経編機を用いて、容易に製造することができる。
【００４３】
使用後の洗浄具１は干される。前述したように、洗浄具１は目の粗いメッシュ構造を有
する。故に、洗浄具１は風通しがよく、速乾性を有する。
持ち手４，４は、洗浄具１を干す場合にも利用することができる。例えば、使用者は、洗浄具１が持ち手４，４から垂れ下がるように、持ち手４，４を相異なる２つのフックに掛止する。
【００４４】
なお、使用者は、洗浄具１を折り畳み、折り畳んだ洗浄具１を持って、被洗浄物を擦り洗いしてもよい。
また、使用者は、持ち手４，４を巻き込んで洗浄具１をロール状に巻き、ロール状の洗浄具１を持って、被洗浄物を擦り洗いしてもよい。この場合、硬い持ち手４，４が柔らかい洗浄具１の芯になるので、より力を込めて被洗浄物を擦り洗いすることができる。
洗浄具１の経編地の構成は、本実施の形態の構成に限定されるものではない。例えば、全ての緯糸３，３，…が、互いに異なる編目に挿入されてもよい。
【００４５】
経糸２及び緯糸３夫々の太さ、並びに、経糸２，２，…同士の緯方向の離隔距離は、洗浄具１の製造の容易さ、強度、速乾性、又は意匠性等の観点に基づいて、適宜に設定される。経糸２の太さは、100 デニール〜250 デニールの範囲であることが好ましく、150 デニール〜200 デニールの範囲であることが更に好ましい。緯糸３の太さは、300 デニール〜500 デニールの範囲であることが好ましく、350 デニール〜400 デニールの範囲であることが更に好ましい。経糸２，２，…同士の緯方向の離隔距離は、５mm〜10mmの範囲であることが好ましく、５mm〜７mmの範囲であることが更に好ましい。
【００４６】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
【符号の説明】
【００４７】
１  洗浄具
２  経糸
３  緯糸
４  持ち手
【図１】
2018082815.tif 000003
【図２】
2018082815.tif 000004
【図３】
2018082815.tif 000005
【図４】
2018082815.tif 000006
【図５】
2018082815.tif 000007